(57)【要約】      （修正有）【課題】自動車の燃料油を完全燃焼させて、燃料油節約効果と、排ガスによる環境汚染を減らす効果を達成する燃料油節約装置の提供。【解決手段】複数の放射体１とこれら放射体を連結する網体２を包含し、これら放射体を不等数量、並列に配列して放射体ユニット１ａを形成し、各放射体ユニットを適宜間隔で配列した後に、網体で結束し並びに網体に固定ベルトを通し、燃料油節約装置を形成する。燃料油節約装置を自動車の排気管触媒センサ前端に縛りつけ、放射体のエネルギー元素により酸素イオンを超微粒子に転化させると共に、これら酸素粒子の相互衝突により、気流分子に渦エネルギーの推進力を発生させ、酸素粒子の微爆を発生させ、これにより酸素粒子をシリンダに進入させた後に、ガソリンの完全燃焼を補助する燃料油節約効果と、排ガスによる環境汚染を減らす作用を達成する。【選択図】図１
0003138881.tif 000002
【実用新案登録請求の範囲】
【請求項１】
燃料油節約装置において、
適当な間隔を以て配列され、異なる数量の放射体が並列に配列されてなる放射体ユニットと、
適当な間隔で配列された各放射体ユニットを結束する網体と、
が組み合わされてなり、自動車の排気管触媒センサ前端に縛りつけられ、該放射体のエネルギー元素により酸素イオンを超微粒子に転化させると共に、これら酸素粒子の相互衝突により、気流分子に渦エネルギーの推進力を発生させ、酸素粒子の微爆を発生させ、これにより酸素粒子をシリンダに進入させた後に、ガソリンの完全燃焼を補助する燃料油節約機能と、排ガスによる環境汚染を減らす機能を具えたことを特徴とする、燃料油節約装置。
【請求項２】
請求項１記載の燃料油節約装置において、該放射体がミネラル結晶元素中のエネルギープロトンを精錬し、それに対応するエネルギー元素を選択して、最適比率で焼成してなるセラミック製品とされたことを特徴とする、燃料油節約装置。
【請求項３】
請求項１記載の燃料油節約装置において、該放射体ユニットを連結する網体が、アルミ材質とされ、熱伝導効果を有し、放射体のエネルギー元素を平均して釈放させることを特徴とする、燃料油節約装置。
【請求項４】
請求項１記載の燃料油節約装置において、該網体に固定バンドが通され、該固定バンドの一端にロック装置が設けられ、もう一端に該ロック装置にロックされる複数の位置決め孔が設けられ、該固定バンドの位置決め孔端が該ロック装置に通されてロックされ、該放射体ユニットが触媒センサ前端に縛りつけられることを特徴とする、燃料油節約装置。
【考案の詳細な説明】
【技術分野】
【０００１】
本考案は一種の燃料油節約装置に係り、特に、自動車の燃料油を完全燃焼させて、燃料油節約効果と、排ガスによる環境汚染を減らす効果を達成する、燃料油節約装置に関する。
【背景技術】
【０００２】
地球のエネルギー資源は不断に大量に消耗され、人類の未来はエネルギー資源枯渇の生存危機に臨むことになる。関係する統計資料によると、エネルギー資源の消費の大部分は車両に使用される石油であり、ゆえに世界各国で莫大な研究費用が投入され並びに関係業者の参入が奨励され、燃料油節約装置の研究開発が進められ、これによりエネルギー資源の急速な消耗の防止が試みられている。
【考案の開示】
【考案が解決しようとする課題】
【０００３】
ゆえに市場では既に多くの種類の燃料油節約装置が販売されているが、一般に市販されている燃料油節約器或いは装置は、エネルギー資源の節約に対して具体的な効果がなく、燃料油節約の観念はまだ実験段階にあるといってよい。このことから、燃料油節約装置の燃料油節約効果を更に明らかとし、且つ燃料油使用時に排出する排ガスを減らすことが望ましい。
【０００４】
本考案の主要な目的は、一種の燃料油節約装置を提供することにあり、それは、自動車の燃料油を完全燃焼させて燃料節約効果を達成すると共に、排ガスを減らす環境保護効果を達成するものとする。
【課題を解決するための手段】
【０００５】
本考案の燃料油節約装置は、複数の放射体とこれら放射体を連結する網体を包含し、これら放射体を不等数量、並列に配列して放射体ユニットを形成し、各放射体ユニットを適宜間隔で配列した後に、網体で結束し並びに網体に固定ベルトを通し、燃料油節約装置を形成する。該燃料油節約装置を自動車の排気管触媒センサ前端に縛りつけ、放射体のエネルギー元素により酸素イオンを超微粒子に転化させると共に、これら酸素粒子の相互衝突により、気流分子に渦エネルギーの推進力を発生させ、酸素粒子の微爆を発生させ、これにより酸素粒子をシリンダに進入させた後に、ガソリンの完全燃焼を補助する燃料油節約効果と、排ガスによる環境汚染を減らす作用を達成する。
【０００６】
前述の燃料油節約装置は、そのうちこれら放射体がミネラル結晶元素中のエネルギープロトンを精錬し、それに対応するエネルギー元素を選択して、最適比率で焼成してなるセラミック製品とされる。
【０００７】
前述の燃料油節約装置は、そのうちこれら放射体ユニットが４・３・４の放射体数量配列で構成したものとされる。
【０００８】
前述の燃料油節約装置は、そのうち該放射体ユニットを連結する網体が、アルミ材質とされ、熱伝導効果を有し、放射体のエネルギー元素を平均して釈放させる。
【考案の効果】
【０００９】
本考案は間隔配列された放射体ユニットに、該放射体ユニットを連結する網体が組み合わされて構成された燃料油節約装置であり、それは、自動車の燃料油を完全燃焼させて燃料油節約効果を達成し、且つ排気ガスによる汚染を防止する環境保護効果を達成し、ゆえに実用的な設計であり、新規性を有する。
【考案を実施するための最良の形態】
【００１０】
図１を参照されたい。本考案は複数の放射体１及びこれら放射体１を連結する網体２を包含する。そのうち、これら放射体１は、ミネラル結晶元素中のエネルギープロトンを精錬し、それに対応するエネルギー元素を選択して組合せ、最適の比率で焼成してなるセラミック製品であり、それが異なる数量で並列に配列されて放射体ユニット１ａが形成され、各放射体ユニット１ａが適宜間隔で配列された後、網体２により結束される。
【００１１】
該網体２はアルミ材質とされ、各放射体ユニット１ａが適当な配列で配列された後（本実施例では４個・３個・４個の数量の放射体１が並列配列される）、これら放射体ユニット１ａが結束され、並びに該網体２に固定バンド３が通され、この固定バンド３の両端にロック装置３１及び該ロック装置３１と係合する複数の位置決め孔３２が設けられている。
【００１２】
前述の構成部品の組合せにより、燃料油節約装置が構成される。該燃料油節約装置は自動車の排気管触媒センサ前端に縛りつけられ、放射体のエネルギー元素により酸素イオンが超微粒子に転化させられると共に、これら酸素粒子の相互衝突により、気流分子に渦エネルギーの推進力が発生し、酸素粒子の微爆を発生させ、これにより酸素粒子がシリンダに進入した後に、ガソリンの完全燃焼を補助する燃料油節約効果と、排ガスによる環境汚染を減らす作用が達成される。
【００１３】
図２及び図３に示されるように、本考案を使用する時は、独立した放射体ユニット１ａが空気清浄機５内に置かれ、放射体１のエネルギー元素が空気中の酸素イオンを超微粒子に転化させると共に、これら酸素粒子の相互衝突により酸素粒子の微爆が発生し、これにより酸素粒子がシリンダに進入した後に、燃料油の完全燃焼を補助する燃料油節約効果が達成され、且つ排ガス汚染を減らす環境保護作用が達成される。更に、本考案を使用する時は、該燃料油節約装置が自動車の排気管４１の触媒センサ４２の前端とシリンダ４３の間に取り付けられ、固定バンド３の位置決め孔３２がロック装置３１に通され、ロックされる。該放射体ユニット１ａを連結する網体２はアルミ材料とされるため、熱伝導の効果を有し、放射体１のエネルギー元素を平均して釈放し、これにより気流分子に自動車の底盤と地面との間で渦エネルギーを発生させ、更に推進の力を発生し、自動車の走行中の燃料油節約の効果を達成させる。
【００１４】
図４に示されるように、本考案は複数の放射体１が並列に配置され、これにより、図示されるように、これら放射体１に存在するエネルギー元素が酸素イオンを超微粒子に転化した後、このような相互配列により、輻射状に放射された酸素粒子が相互に衝突し、気流分子が渦を発生し、酸素粒子の微爆を発生する。
【００１５】
図５に示されるように、本考案は各放射体ユニット１ａが適宜間隔で配列された後（本実施例では４個、３個、４個の数量の放射体１が並列に配列される）、これら放射体ユニット１ａが結束され、これにより各放射体ユニット１ａの間隔エリアが強（Ｌ）、弱（Ｓ）のエネルギー釈放を構成し、渦エネルギーの発生と酸素粒子の微爆効果を高める。
【００１６】
図６に示されるように、放射体の各放射体ユニット１ａの間隔配列は本実施例の４・３・４配列方式のほか、必要に応じて図示される３・２・３配列方式、或いは５・４・５或いはその他の不等数量の配列とされ得て、本考案の実用価値を高める。
【図面の簡単な説明】
【００１７】
【図１】本考案の立体図である。
【図２】本考案の取り付け実施例図である。
【図３】本考案の空気清浄機に取り付けられた実施例図である。
【図４】本考案の放射体の酸素粒子の放射実施例図である。
【図５】本考案の放射体ユニットのエネルギー釈放実施例図である。
【図６】本考案の別の取り付け実施例図である。
【符号の説明】
【００１８】
１  放射体          １ａ  放射体ユニット      ２  網体        ３  固定バンド
３１  ロック装置    ３２  位置決め孔          ４１  排気管    ４２  触媒センサ
４３  シリンダ      ５  空気清浄機
【図１】
0003138881.tif 000003
【図２】
0003138881.tif 000004
【図３】
0003138881.tif 000005
【図４】
0003138881.tif 000006
【図５】
0003138881.tif 000007
【図６】
0003138881.tif 000008